(57)【要約】  【課題】  部屋の隅々まで効率よくイオンを届かせることのできる空気調節装置を提供する。  【解決手段】  吹出口４には、室内熱交換器６を介して室内ファン７を通ってきた空気の流れを上下に変える横ルーバー９と、横ルーバー９の上流側に左右に空気の流れを変える縦ルーバー８が設けられている。横ルーバー９の上方には、上下一対の板棒状のレール１０，１１が吹出口４の長手方向に延びて設けられている。これらのレール１０，１１に沿って、一つのイオン発生装置２０がスライド可能に設けられている。【選択図】      図１
2005114195.tif 000002
【特許請求の範囲】
【請求項１】
本体に設けられた空気の吸込口と、本体に長方形に開口形成された吹出口と、本体内に設けられ前記吸込口から吸い込んだ空気を本体内を通って前記吹出口から吹き出す送風機と、前記吹出口近傍に設けられたイオン発生装置とを備えた空気調節装置において、前記イオン発生装置を前記吹出口の長手方向に移動可能に設けたことを特徴とする空気調節装置。
【請求項２】
前記イオン発生装置の移動経路を、前記吹出口の開口幅よりも延長し、その延長箇所に、前記イオン発生装置のイオン発生素子を清掃する清掃手段を設けたことを特徴とする請求項１に記載の空気調節装置。
【請求項３】
前記吹出口にルーバーを備えたことを特徴とする請求項１又は２に記載の空気調節装置。
【発明の詳細な説明】
【技術分野】
【０００１】
本発明は、イオン発生装置を備えた空気調節装置に関するものである。
【背景技術】
【０００２】
従来、イオン発生装置を備えた空気調節装置が開示されている。例えば、特許文献１には空気清浄機にイオン発生装置を搭載することが記載されている。また、特許文献２には、空気調和機にイオン発生装置を搭載することが記載されている。イオン発生装置から発生させたイオンは、数秒程度の寿命であり、また障害物に衝突すると消滅する性質があるので、できるだけ障害物のない吹出口近傍に設けて発生させたイオンを速やかに室内に送る必要がある。
【特許文献１】特開２００２−９５７３１号公報（第１図）
【特許文献２】特開平４−９０４２８号公報（第２図）
【発明の開示】
【発明が解決しようとする課題】
【０００３】
通常、空気清浄機や空気調和機などでは、吹出口は幅広の長方形に形成されている。それに比し、イオン発生装置は幅の狭い非常に小さなものである。このため、イオン発生装置が固定されている箇所に集中してイオンが発生し、吹出口の一部分からしかイオンを送ることができず、室内におけるイオン濃度の分布の差が大きかった。
【０００４】
本発明は、部屋の隅々まで効率よくイオンを届かせることのできる空気調節装置を提供することを目的とする。
【課題を解決するための手段】
【０００５】
上記目的を達成するために本発明は、本体に設けられた空気の吸込口と、本体に長方形に開口形成された吹出口と、本体内に設けられ前記吸込口から吸い込んだ空気を本体内を通って前記吹出口から吹き出す送風機と、前記吹出口近傍に設けられたイオン発生装置とを備えた空気調節装置において、前記イオン発生装置を前記吹出口の長手方向に移動可能に設けたことを特徴とする。
【０００６】
この構成によると、吹出口の長手方向に移動するイオン発生装置から発生したイオンは、送風機によって送られる空気流に乗って、吹出口全体から室内の広い範囲へ均一に吹き出される。なお、前記吹出口にルーバーを備えると、さらに広い範囲にイオンを届かせることが容易になる。
【０００７】
また、イオン発生装置のイオン発生素子には、静電気が発生し埃などが付着しやすく、埃が付着すると、イオン発生効率が低下するため、前記イオン発生装置の移動経路を、前記吹出口の開口幅よりも延長し、その延長箇所に、前記イオン発生装置のイオン発生面を清掃する清掃手段を設けるのが好ましい。
【発明の効果】
【０００８】
本発明によれば、室内のイオン濃度を均一に近づけるとともに、素早く部屋の広い範囲にイオンを届けることができる。
【発明を実施するための最良の形態】
【０００９】
以下、本発明を実施するための最良の形態を図面を参照して説明する。図１は、室内機１の本体の側断面図である。本体ケーシング２の前面には、開閉自在に開く前パネル３が設けられている。前パネル３の下方には、冷暖気を吹き出す横に幅が広い矩形の吹出口４が形成されている。また、前パネル３には、室内空気を吸い込む吸込口５が形成されている。
【００１０】
本体ケーシング２の内部には、熱冷媒体が内部を通過し、室内の空気を熱交換する室内熱交換器６と、室内の空気を吸い込んで室内熱交換器６で熱交換した空気を本体外に吹出すための室内ファン７とが設けられている。また、吹出口４には、室内熱交換器６を介して室内ファン７を通ってきた空気の流れを上下に変える横ルーバー９と、横ルーバー９の上流側に左右に空気の流れを変える縦ルーバー８が設けられている。また、吸込口５には、空気中のごみや塵を除去する着脱式のフィルタ１２が設けられている。横ルーバー９の上方には、上下一対の板棒状のレール１０，１１が吹出口４の長手方向に延びて設けられている。これらのレール１０，１１に沿って、一つのイオン発生装置２０がスライド可能に設けられている。
【００１１】
図２は、室内機１の本体の部分拡大正面図である。図２に示すように、レール１０，１１は、吹出口４の開口幅よりも長く設けられており、イオン発生装置２０の移動経路は、吹出口４の右側まで延びている。そして、その延長箇所には、イオン発生素子２１０（図３，４参照）が接触する位置にブラシ１３が設けられている。
【００１２】
図３は、イオン発生装置２０の斜視図であり、図４は、同断面図であり、図５は、イオン発生素子２１０の断面図である。イオン発生素子２１０は、図５に示すように、平板状の誘電体２１１の表面に設けられた表面電極２１３と、該表面電極２１３に電力を供給するため誘電体２１１の表面に設けられる表面電極接点２１５と、誘電体２１１の内部に埋設され且つ前記表面電極２１３と平行に設けられた内部電極２１２と、該内部電極２１２に電力を供給するため誘電体２１１の表面に設けられる内部電極接点２１４を有している。誘電体２１１は、上板２１１ａ、下板２１１ｂ、表面保護層２１１ｃにより構成される。内部電極接点２１４と表面電極接点２１５には、リード線２０１，２０２の一端が半田付けされる。
【００１３】
回路基板２２０は、図３及び図４に示すように、コンデンサ、半導体等の回路部品が実装された基板であり、その長手方向の一側にはイオン発生素子２１０の高電圧発生回路２２１が搭載されている。高電圧発生回路２２１、リード線２０１，２０２の他端が接続される。なお、共通ケース２３０の内面には  所定の高さ位置に、全周に亘って内向きに張り出して前記回路基板２２０の支持部となる支持縁（図示せず）が設けてある。回路基板２２０の他面には信号線２０９が接続される。
【００１４】
共通ケース２３０は、一側の全面に前記回路基板２２０の差し込みが可能な矩形の開口２３０ａを備える箱体である。共通ケース２３０の底部には、側壁を貫通して、駆動輪シャフト２０３と補助輪シャフト２０４が回転可能に取り付けられており、両シャフト２０３，２０４の両端には駆動輪２０５及び補助輪２０６が固定されている。駆動輪シャフト２０３には、ギア２０７が装着されている。駆動輪２０５及び補助輪２０６は、厚み方向の中央に円周に沿って溝２０５ａ，２０６ａが形成されている。
【００１５】
モーター２４０は、双方向に回転するモーターシャフト２４１を備えている。モーターシャフト２４１の先端には、ギア２４２が装着されている。モーター２４０は、そのギア２４２が駆動輪シャフト２０３のギア２０７にかみ合うように、共通ケース２３０の内部に取り付けられる。モーター２４０が駆動されると、ギア２４２を介して、駆動輪２０５が時計回り或いは反時計回りに回転するようになっている。モーター２４０には、リード線２０８が接続される。
【００１６】
蓋板２３１は、樹脂材料製の平板であり、その長手方向一側には、イオン発生素子２１０に対応する矩形形状の凹所２３１ａが設けてあり、該凹所２３１ａには、イオン発生素子２１０の前記表面電極接点２１４及び内部電極接点２１５の形成位置に夫々対応するように、表裏に貫通する長円形のリード線抜き穴２３１ｂが形成されている。以上の如く構成された蓋板２３１は、前記凹所２３１ａにイオン発生素子２１０を嵌め込むことで、これを一体に保持させることができる。蓋板２３１は、イオン発生素子２１０の保持面を上向きとして前記共通ケース２３０の上側開口２３０ａを覆うように取付けられる。リード線２０８，信号線２０９は、柔軟なケーブル２５０に束ねられ、共通ケース２３０の外側に引き出されて、空気調和機本体の制御部（図示せず）に接続される。
【００１７】
以上のように構成されたイオン発生装置２０は、図１に示すように、共通ケース２３０のイオン発生素子２１０のある面を下側にして駆動輪２０５及び補助輪２０６の片側をレール１０，１０間、もう片側をレール１１，１１の間に嵌めるようにして、取り付けられる。この状態で、モーター２４０が駆動されると、駆動輪２０５が正逆どちらかに回転し、これに従動する補助輪２０６の回転によってイオン発生装置２０はレール１０，１１上を走向移動する。そして、レール１０，１１の端まで移動すると、駆動輪２０５が逆回転で駆動され、イオン発生装置２０は折り返して反対方向に移動する。そして、図２に示すように、イオン発生装置２０がレール１０，１１の右端で折り返すたびに、ブラシ１３の刷毛がイオン発生素子２１０の表面を摩擦し、付着した埃などを取り除かれる。これにより、イオン発生効率の低下を防ぐことができる。
【００１８】
上記構成で空気調和機の動作を図１を参照して説明する。自動・冷房・暖房・除湿などの空気調和機の運転中、イオン発生装置２０に通電し、上記電極間に交流電圧を印加するとともに、モーター２４０を駆動する。これにより、空気中の酸素ないしは水分が電離によりエネルギーを受けてイオン化し、プラスイオンであるＨ+(Ｈ2Ｏ)m（ｍは任意の自然数）とマイナスイオンであるＯ2-(Ｈ2Ｏ)n（ｎは任意の自然数）が生成する。マイナスイオンとプラスイオンは、送風経路を流れる空気流と合流して、吹出口４より室内に放出される。また、イオン発生装置２０は、レール１０，１１に沿って左右に移動するため、マイナスイオンとプラスイオンが吹出口４の広い範囲より放出され、室内のイオン濃度を均一に近づけるとともに、素早く部屋の広い範囲にイオンを届けることができる。このとき、縦ルーバー８及び横ルーバー９をスイングさせると効果的である。
【００１９】
プラスイオンであるＨ+(Ｈ2Ｏ)m及びマイナスイオンであるＯ2-(Ｈ2Ｏ)nは、浮遊菌の表面に付着し、化学反応して活性種であるＨ2Ｏ2または・ＯＨを生成する。Ｈ2Ｏ2または・ＯＨは、極めて強力な活性を示すため、これらにより、室内の空中浮遊細菌を取り囲んで不活化することができる。ここで、・ＯＨは活性種の１種であり、ラジカルのＯＨを示している。
【００２０】
活性種である過酸化水素（Ｈ2Ｏ2）または水酸基ラジカル（・ＯＨ）が、有害物質を酸化若しくは分解して、ホルムアルデヒドやアンモニアなどの化学物質を、二酸化炭素や、水、窒素などの無害な物質に変換することにより、実質的に無害化することが可能である。
【００２１】
その他、プラスイオンとマイナスイオンには、コクサッキーウィルス、ポリオウィルス、などのウィルス類も不活化する働きがあり、これらウィルスの混入による汚染が防止できる。また、プラスイオンとマイナスイオンには、臭いの元となる分子を分解する働きがあることも確かめられており、空間の脱臭にも利用できる。
【産業上の利用可能性】
【００２２】
本発明のイオン発生装置を搭載する空気調節装置として、空気調和機以外にも空気清浄機、除湿機、加湿器、冷蔵庫、石油ファンヒーター、石油ストーブ、電気ストーブなどの商品に搭載することも可能である。いずれの場合も、マイナスイオンおよびプラスイオンの作用によって殺菌をすることが可能となる。
【図面の簡単な説明】
【００２３】
【図１】は、本発明に係るイオン発生装置を備えた空気調和機の室内機の側断面図である。
【図２】は、同上室内機の部分拡大正面図である。
【図３】は、イオン発生装置の分解斜視図である。
【図４】は、同上イオン発生装置の断面図である。
【図５】は、同上イオン発生装置のイオン発生素子の断面図である。
【符号の説明】
【００２４】
１    空気調和機室内機
２    本体ケーシング
１０，１１  レール
２０  イオン発生装置
【図１】
2005114195.tif 000003
【図２】
2005114195.tif 000004
【図３】
2005114195.tif 000005
【図４】
2005114195.tif 000006
【図５】
2005114195.tif 000007